(57)【要約】【課題】外力の作用により湾曲させその形状を保持させることができ、異なる環境空間の大きさに合わせてその形状を変えることができる、可撓性アンテナの提供。【解決手段】可撓性アンテナであって、主に外力の作用を受けて湾曲しその形状を保持することができる可撓性金属管の一端に信号コネクタを設置し、前記信号コネクタを介して予め設置された電子装置に接続され、前記可撓性金属管の外側に絶縁カバー管が被せられ、前記可撓性金属管の信号コネクタを設置した側でない別の一端に絶縁性の先端キャップが設置され、前記可撓性金属管の表面と外部導体間の電気的接続特性を阻隔し、前記可撓性金属管が外力を受けて湾曲しその形状を保持する特性により、異なる環境空間に合わせてその形状を変えることができ、その金属の透磁性により前記電子装置が効果的に電磁波信号を伝送（発信または受信）することができる。【選択図】図１
0003125842.tif 000002
【実用新案登録請求の範囲】
【請求項１】
少なくとも可撓性金属管と絶縁カバー管を含み、そのうち、前記可撓性金属管は外力の作用を受けて破壊されることなく湾曲しその形状を保持することができ、その一端が信号コネクタを介して予め設置された電子装置に接続され、前記電子装置が前記可撓性金属管により電磁波を伝送することができ、前記絶縁カバー管は前記可撓性金属管の外側を覆って設置され前記可撓性金属管と外部導体間の電気的接続特性を阻隔する、可撓性アンテナ。
【請求項２】
前記絶縁カバー管が熱収縮チューブである、請求項１に記載の可撓性アンテナ。
【請求項３】
前記可撓性金属管がバネ鋼鋼材を密に螺旋状に巻いて中空状に形成した中空管体である、請求項１に記載の可撓性アンテナ。
【考案の詳細な説明】
【技術分野】
【０００１】
本考案は可撓性アンテナの構造に関し、詳細には、構造が簡易であり、且つ、必要に応じて湾曲させることができ、異なる環境の電波伝送の必要性に対応させることができる、可撓性アンテナに関する。
【背景技術】
【０００２】
従来の電波伝送に応用されるアンテナの構造は、比較的簡易なものでは、外表に絶縁性を備えた細い多芯金属導線を電波受信装置の入力端または電波発信装置の出力端に接続し、この電磁波感応特性を備えた金属導線でアンテナを代替するものがある。しかし、このような多芯金属導線はそのものに適当な支持強度がなく、外部構造により支持を加えなければ、垂下させる方式で電波伝送装置と結合させるしかなく、それ故にその電波の伝送（受信または発信）方向を調整するのが難しく、全体の電波伝送効果に大きな影響を与える。
【０００３】
また、比較的よくある長さが一定のアンテナまたは長さを変化させることができる伸縮アンテナでは、長さが一定のアンテナは直接弾性を備えた金属またはカーボン繊維を長さが一定の細長い形状に作り、電磁波感応特性を備えさせ電波伝送の機能を得るが、このような弾性を備えた金属またはカーボン繊維のアンテナは湾曲させて形を保持させることが難しく、且つ、その電波伝送方向も調整が困難であるため、このような長さが一定のアンテナは多くが広い空間環境下で用いられ、且つ、その電波伝送効果には限りがある。さらに、伸縮アンテナは複数の金属管を相互に重ね合わせ、各金属管の内側にストッパを設けて各金属管が外側に組み合わされた金属管と分離しないように配慮しつつ長さを伸縮変化させることができる構造を形成している。同時に、一般にこのような伸縮アンテナはほとんどがベース部に回動機構を設けており、伸縮アンテナに伸縮のほか３６０度の回動を可能にし、その電波の伝送方向の調整における利便性を向上している。しかしながら、このような伸縮アンテナは引き伸ばしたときまたは収縮させたときのどちらにおいても、やはり一定の直線延伸長さを備えており、周囲の空間の広さが不足している環境においては、引き伸ばした長さでも制限があり、その電波伝送効果及び品質に不良な影響がある。
【０００４】
従来のアンテナ構造における上述の欠点に鑑みて、本考案はこれら欠点に対し研究と改良を重ねて生まれたものである。
【考案の開示】
【考案が解決しようとする課題】
【０００５】
本考案の主な目的は、外力の作用により湾曲させその形状を保持させることができ、異なる環境空間の大きさに合わせてその形状を変えることができる、可撓性アンテナを提供することにある。
【課題を解決するための手段】
【０００６】
本考案は上述の目的及び効果を達するため、採用する技術的手段は、可撓性金属管と、絶縁カバー管とを含み、前記可撓性金属管は外力の作用を受けると相対して湾曲しその形状を保持することができ、その一端が信号コネクタを介して予め設置された電子装置に接続され、前記電子装置が前記可撓性金属管を介して電磁波を伝送することができ、前記絶縁カバー管は前記可撓性金属管の外側に被せられ、前記可撓性金属管と外部導体間の電気的接続性を阻隔する。
【考案を実施するための最良の形態】
【０００７】
本考案の詳細な構造、応用原理、作用、効果について理解を促すため、以下、図面に基づき詳細に説明する。
【０００８】
図１の本考案の構造分解図、図２の立体外観図及び図３の断面図からはっきりと分かるように、本考案は主に、可撓性金属管１、絶縁カバー管２及び信号コネクタ３等の部分を含み、そのうち、前記可撓性金属管１はバネ鋼鋼材を密に螺旋状に巻いて中空状に形成した管体または金属の蛇腹管、或いはその他特性が近似する金属管体とすることができ、外力の作用を受けたとき破壊されず（原状を回復でき）相対して湾曲しその形状を保持することができ、前記絶縁カバー管２が前記可撓性金属管１の外側に被せられ、且つ、前記可撓性金属管１の一端に絶縁性の先端キャップ２１が設置されて、前記可撓性金属管１外側表面に対して保護を形成すると共に、前記可撓性金属管１と外部導体間の電気的接続特性を阻隔する。前記信号コネクタ３は前記可撓性金属管１の先端キャップ２１を被せた側の別の一端に設置され（本実施例においては同軸ケーブル信号コネクタとして示すが、実際の応用時にはその他あらゆる信号伝送が可能なコネクタ構造体とすることができる）、主に金属接続カバー管３１、信号接続部材３２、絶縁座部３３及び接地リング３４から構成され、そのうち、前記信号接続部材３２の二端にそれぞれ被覆接続部３２１及び信号芯線３２２が設けられ、前記被覆接続部３２１は直接前記絶縁カバー管２から露出された前記可撓性金属管１の端部に嵌合され、前記金属接続カバー管３１は一端が前記信号接続部材３２に被せられ、且つ、前記可撓性金属管１端部のやや内側の絶縁カバー管２に覆われた部位にかかるように設置され、前記金属接続カバー管３１の他端は内側周縁に雌ネジ３１１が設けられ、絶縁座部３３中央に中央孔３３１が開設され、前記信号接続部材３２の信号芯線３２２が前記中央孔３３１に穿通されると共に、前記接地リング３４の一端には収容空間３４１が設けられ、前記絶縁座部３３を収容することができ、且つ、前記収容空間３４１の外周縁には雄ネジ３４２が設けられ、前記金属接続カバー管３１の雌ネジ３１１と相互に螺合することができ、これにより、前記金属接続カバー管３１、信号接続部材３２、絶縁座部３３及び接地リング３４が相互に連結されて一体をなす。なお、前記絶縁カバー管は、熱収縮チューブによって構成することができる。
【０００９】
図４から図６に本考案の各種応用実施例を示す。各図に示すように、本考案の可撓性金属管１は、信号コネクタ３を介して各種予め設置された電子装置に接続される。図４に示すように、本考案は回動座体４１上に設置されたワイヤレスカメラ装置４に応用することができ、これにより前記ワイヤレスカメラ装置４の映像信号を出力し発信することができる。図５に示すように、本考案は一般的なラジオ５の信号受信端（アンテナ）に応用したり、図６に示すようにワイヤレスマイク６の信号出力端に応用したりすることもできる。前記可撓性金属管１が備えている金属透磁特性により、電磁波伝送（受信または発信）の媒介とすることができ、且つ、外力を受けると相対して湾曲しその形状を保持することができ、電磁波伝送効率を調整でき、装飾的スタイルの変化を生む効果を備えているだけでなく、異なる環境に応じてその形状を変え、さまざまな空間の大きさによる必要性の変化に応えることができる。
【００１０】
上述のように、本考案の可撓性アンテナは確実に外力により湾曲させてその形状を保持させることができ、異なる環境の空間の大きさの必要性に対応可能であり、産業上の利用性、新規性及び進歩性を確実に備えている。
【図面の簡単な説明】
【００１１】
【図１】本考案の構造を示す立体分解図である。
【図２】本考案の組み立て後の状態を示す立体外観図である。
【図３】本考案の組み立て後の状態の断面図である。
【図４】本考案の応用実施例１を示す立体図である。
【図５】本考案の応用実施例２を示す立体図である。
【図６】本考案の応用実施例３を示す立体図である。
【符号の説明】
【００１２】
１      可撓性金属管
２      絶縁カバー管
２１    先端キャップ
３      信号コネクタ
３１    金属接続カバー管
３１１  雌ネジ
３２    信号接続部材
３２１  被覆接続部
３２２  信号芯線
３３    絶縁座部
３３１  中央孔
３４    接地リング
３４１  収容空間
３４２  雄ネジ
４      ワイヤレスカメラ装置
４１    回動座体
５      ラジオ
６      ワイヤレスマイク
【図１】
0003125842.tif 000003
【図２】
0003125842.tif 000004
【図３】
0003125842.tif 000005
【図４】
0003125842.tif 000006
【図５】
0003125842.tif 000007
【図６】
0003125842.tif 000008